(57)【要約】【課題】鑑賞目的にも使用可能な新規な構成を有する回転体を提供する。【解決手段】回転体であって、回転本体と、流動体と、を備える。回転本体は、斜面を転がる外形を有し、内部に収容空間が形成されている。流動体は、収容空間に収容されている。回転本体は、複数の羽根部を有する。複数の羽根部は、収容空間を形成する内壁面から回転本体の回転中心に近づく方向へ延びる。羽根部によって保持されている流動体は、回転本体の回転に伴い当該羽根部における回転本体の回転中心側の端部からこぼれ落ちることにより、他の羽根部へ移動する。【選択図】図１
2018068366.tif 000002
【特許請求の範囲】
【請求項１】
斜面を転がる外形を有し、内部に収容空間が形成された回転本体と、
前記収容空間に収容された流動体と、
を備え、
前記回転本体は、
前記収容空間を形成する内壁面から前記回転本体の回転中心に近づく方向へ延びる複数の羽根部を有し、
前記羽根部によって保持されている前記流動体は、前記回転本体の回転に伴い当該羽根部における前記回転本体の回転中心側の端部からこぼれ落ちることにより、他の前記羽根部へ移動する、回転体。
【請求項２】
請求項１に記載の回転体であって、
前記複数の羽根部は、前記回転本体の回転方向に沿って互いに同じ側に曲がった形状を有する、回転体。
【請求項３】
斜面を転がる外形を有し、内部に収容空間が形成された回転本体と、
前記収容空間に収容された流動体と、
を備え、
前記収容空間は、前記回転本体の回転方向に沿って並んだ複数の部屋を有し、
前記複数の部屋のそれぞれには、隣接する前記部屋同士を互いに連通する貫通孔が設けられている、回転体。
【請求項４】
斜面を転がる外形を有し、内部に収容空間が形成された回転本体と、
前記収容空間に収容された流動体と、
を備え、
前記回転本体は、
管状の部材が環状に巻かれた形状を有する複数の環状部と、
前記環状部の端部を他の前記環状部の端部と連結する管状の複数の連結部と、
を有し、
複数の前記環状部と複数の前記連結部とにより前記収容空間が形成され、
前記環状部によって保持されている前記流動体は、当該環状部の端部から前記連結部を介して他の前記環状部へ移動する、回転体。
【請求項５】
請求項４に記載の回転体であって、
前記環状部が、前記管状の部材が複数回巻かれた形状を有する、回転体。
【請求項６】
請求項１から請求項５までのいずれか１項に記載の回転体であって、
前記回転本体は、
当該回転本体の内部に、回動運動を行う振り子を有する、回転体。
【発明の詳細な説明】
【技術分野】
【０００１】
本開示は、回転体に関する。
【背景技術】
【０００２】
特許文献１には、斜面を転がる回転体が開示されている。この回転体は、当該回転体の内部を複数の室に区分する複数の壁を備える。この複数の壁により回転体の内部はみかんの輪切り状に区分される。また、複数の壁における回転体の内壁面に接する部分には細隙が形成されている。
【０００３】
この回転体には流動体が収容されており、回転体が斜面に載置されると、回転体の回転に伴い、流動体が複数の壁に形成された細隙を通って回転体内を移動する。
【先行技術文献】
【特許文献】
【０００４】
【特許文献１】特開昭４８−３４５６９号公報
【発明の概要】
【発明が解決しようとする課題】
【０００５】
このような流動体を収容した回転体は鑑賞目的にも使用することができる。すなわち、回転体を斜面上で転がし、回転体の回転に伴う流動体の移動を鑑賞することにより、楽しむことができる。
【０００６】
本開示は、鑑賞目的にも使用可能な新規な構成を有する回転体を提供することを目的としている。
【課題を解決するための手段】
【０００７】
本開示の一態様は、回転体であって、回転本体と、流動体と、を備える。回転本体は、斜面を転がる外形を有し、内部に収容空間が形成されている。流動体は、収容空間に収容されている。回転本体は、複数の羽根部を有する。複数の羽根部は、収容空間を形成する内壁面から回転本体の回転中心に近づく方向へ延びる。羽根部によって保持されている流動体は、回転本体の回転に伴い当該羽根部における回転本体の回転中心側の端部からこぼれ落ちることにより、他の羽根部へ移動する。
【０００８】
このような構成によれば、羽根部における回転本体の回転中心側の端部からこぼれ落ちるという、鑑賞目的にも使用可能な新規な構成を有する回転体を提供することができる。
本開示の一態様は、複数の羽根部が、回転本体の回転方向に沿って互いに同じ側に曲がった形状を有していてもよい。
【０００９】
このような構成によれば、回転体による演出効果を更に向上させることができる。すなわち、羽根部が平板状である構成と比較して、流動体が羽根部からこぼれにくいため、流動体を収容空間における鉛直方向上方へ移動させやすい。よって、流動体をより高い位置から落下させることができる。したがって、流動体の落下を利用したからくりを収容空間に設けることにより、回転体による演出効果を更に向上させることができる。
【００１０】
本開示の別の態様は、回転体であって、回転本体と、流動体と、を備える。回転本体は、斜面を転がる外形を有し、内部に収容空間が形成されている。流動体は、収容空間に収容されている。収容空間は、回転本体の回転方向に沿って並んだ複数の部屋を有する。複数の部屋のそれぞれには、隣接する部屋同士を互いに連通する貫通孔が設けられている。
【００１１】
このような構成によれば、流動体が複数の部屋を順に移動するという、鑑賞目的にも使用可能な新規な構成を有する回転体を提供することができる。
本開示の別の態様は、回転体であって、回転本体と、流動体と、を備える。回転本体は、斜面を転がる外形を有し、内部に収容空間が形成されている。流動体は、収容空間に収容されている。回転本体は、複数の環状部と、複数の連結部と、を有する。複数の環状部は、管状の部材が環状に巻かれた形状を有する。複数の連結部は、環状部の端部を他の環状部の端部と連結し、管状である。複数の環状部と複数の連結部とにより収容空間が形成される。環状部によって保持されている流動体は、当該環状部の端部から連結部を介して他の環状部へ移動する。
【００１２】
このような構成によれば、流動体が環状部の端部から連結部を介して他の環状部へ移動するという、鑑賞目的にも使用可能な新規な構成を有する回転体を提供することができる。
【００１３】
本開示の一態様は、環状部が、管状の部材が複数回巻かれた形状を有していてもよい。
このような構成によれば、管状部材が１回だけ巻かれた構成と比較して、環状部において、より多くの流動体を保持することができる。その結果、回転体の重心が、回転本体の回転中心に近づきやすい。したがって、管状部材が１回だけ巻かれた構成と比較して、回転体を更に転がりやすくすることができる。
【００１４】
本開示の一態様は、回転本体が、当該回転本体の内部に、回動運動を行う振り子を有していてもよい。
このような構成によれば、回転体の重心の位置を、回転本体の回転中心に近づけることができる。よって、回転体を転がりやすくすることができる。
【図面の簡単な説明】
【００１５】
【図１】第１実施形態の回転体を表す図である。
【図２】第２実施形態の回転体を表す図である。
【図３】第２実施形態の回転体の回転に伴う流動体の移動の様子を説明する図である。
【図４】第３実施形態の回転体を表す図である。
【図５】管状部材が１回巻かれた環状部の断面図である。
【図６】第３実施形態の回転体の回転に伴う流動体の移動の様子を説明する図である。
【図７】管状部材が２回巻かれた環状部を有する回転体の回転に伴う流動体の移動の様子を説明する図である。
【図８】管状部材が２回巻かれた環状部の断面図である。
【図９】環状部を４つ有する収容管を表す図である。
【図１０】環状部を５つ有する収容管を表す図である。
【図１１】板状部材により構成された収容管を表す図である。
【図１２】振り子を備える回転体を表す図である。
【図１３】球体を備え、周壁の内側に振り子を有する回転体を表す図である。
【図１４】球体を備え、球体と周壁との間に錘が位置するように振り子を有する回転体を表す図である。
【図１５】演出効果を向上させるためのからくりを表す図（１）である。
【図１６】演出効果を向上させるためのからくりを表す図（２）である。
【発明を実施するための形態】
【００１６】
以下、図面を参照しながら、本開示を実施するための形態を説明する。
［１．第１実施形態］
［１−１．構成］
図１に示す回転体１は、回転本体１１と、流動体１２と、を備える。
【００１７】
回転本体１１は、円柱状の外形を有する部材である。具体的には、回転本体１１は、円筒状の周壁１１１と、周壁１１１の軸方向の両端における開口を塞ぐ円盤状の図示しない２つの蓋部と、８つの羽根部１１２〜１１９と、を有する。なお、本実施形態では、回転本体１１は、アクリルを素材として構成され、透明である。
【００１８】
本実施形態では、２つの蓋部は周壁１１１に接着される。このように蓋部が周壁１１１に固定されることにより、周壁１１１及び２つの蓋部に囲まれた空間として、収容空間が形成される。収容空間には、流動体１２が収容されている。本実施形態では、流動体１２は砂である。
【００１９】
この回転体１を斜面上で転がすときは、周壁１１１の中心軸が斜面と平行になるように回転体１を立てて載置する。つまり、回転本体１１の回転軸は、周壁１１１の中心軸である。
【００２０】
次に、羽根部１１２〜１１９について詳細に説明する。羽根部１１２〜１１９は、収容空間を形成する周壁１１１の内壁面から回転本体１１の回転中心に近づく方向へ延びる板状の部分である。羽根部１１２〜１１９は、収容空間における鉛直方向下部への流動体１２の移動を妨げた状態で流動体１２を保持する。
【００２１】
羽根部１１２〜１１９は、互いに同形状であり、回転本体１１の回転方向に沿って互いに同じ側に一定の曲率で曲がった形状を有する。ここでいう「回転本体１１の回転方向に沿う」とは、回転本体１１の回転軸に垂直な断面における周壁１１１の円周方向、換言すれば、回転本体１１の回転中心を中心とする円の周方向に沿うことを意味する。羽根部１１２〜１１９は、回転本体１１の回転軸に垂直な断面において半円状である。このように、羽根部１１２〜１１９は、流動体１２を保持しやすい形状、換言すれば、収容空間における鉛直方向上部へ流動体１２を移動させやすい形状に形成されている。また、羽根部１１２〜１１９は、周壁１１１の内壁面上で回転本体１１の回転方向に沿って互いに等間隔に設けられている。つまり、回転本体１１は、回転本体１１の回転軸に垂直な断面において点対称な形状を有する。
【００２２】
このような回転体１を斜面に立てて載置すると、回転体１は回転する。そして、回転体１の回転に伴い、羽根部１１２〜１１９によって保持されている流動体１２は、当該羽根部１１２〜１１９における回転中心側の端部からこぼれ落ちることにより、他の羽根部１１２〜１１９へ移動する。
【００２３】
具体的には、図１には、回転体１が左回りに回転している状況が示されている。この状況において、収容空間における最下部に位置する羽根部１１６は、回転体１の回転に伴い、収容空間における最下部付近（図１では羽根部１１６のすぐ右側）に溜まっている図示しない流動体１２を掬う。そして、羽根部１１６の位置が上昇し、収容空間における高さが中間である位置（図１における羽根部１１４の位置）から、回転中心側の端部が内壁面への付け根よりも低くなるように羽根部１１６が傾き出す。その結果、羽根部１１６によって保持されている流動体１２が回転中心側の端部から少しずつこぼれ始め、鉛直方向下方へ落下する。
【００２４】
なお、図１に示す状況では、中間の高さに位置する羽根部１１４からこぼれ落ちた流動体１２と当該羽根部１１４の１つ上の羽根部１１３からこぼれ落ちた流動体１２とは、羽根部１１４の１つ下の羽根部１１５へ移動している。また、収容空間における最上部に位置する羽根部１１２からこぼれ落ちた流動体１２は、当該羽根部１１２の真下に位置する内壁面へ落下している。そして、当該内壁面へ落下し、滞留した流動体１２は、羽根部１１６により掬われる。
【００２５】
また、複数の羽根部１１２〜１１９により流動体１２の移動が阻害されることにより回転体１の重心の位置が変化する。そして、重心の位置の変化により、回転体１の転がり方が不規則になる。換言すれば、回転体１の転がり方が、回転体の重心の位置が一定であり、かつ、重心の位置が回転体の回転中心と一致する場合と比較して異なるものとなる。また、回転体１の転がり方は、回転体の重心の位置が一定であり、かつ、重心の位置が回転体の回転中心からずれている場合と比較しても異なるものとなる。
【００２６】
なお、本実施形態では、流動体１２の分量は、回転体１が一回転して羽根部１１２〜１１９が元の位置に来た際に、当該羽根部１１２〜１１９によって保持されている流動体１２の形状が一回転前にその羽根部が保持していた流動体１２の形状と同じになるように調節されている。換言すれば、流動体１２の分量は、少なすぎないように、所定の分量以上になるように調節されている。
【００２７】
［１−２．効果］
（１）本実施形態の回転体１は、羽根部１１２〜１１９を備える。特許文献１の構成では、複数の壁における内壁面に接する部分に形成された細隙を通って流動体が移動する。これに対し、本実施形態の構成では、流動体１２が羽根部１１２〜１１９における回転本体１１の回転中心側の端部からこぼれ落ちることにより移動する点で相違する。したがって、羽根部１１２〜１１９における回転本体１１の回転中心側の端部からこぼれ落ちるという、鑑賞目的にも使用可能な新規な構成を有する回転体１を提供することができる。
【００２８】
（２）本実施形態のように羽根部１１２〜１１９が設けられた構成では、回転本体１１の回転中心近傍にスペースを形成することができる。したがって、このスペースに演出効果を向上させるためのからくりを設けることができる。特に、このスペースを流動体１２が落下するため、流動体１２の落下に応じて回転するからくりなど、流動体１２の落下を利用した演出効果を向上させるためのからくりを設けることができる。
【００２９】
（３）本実施形態では、複数の羽根部１１２〜１１９は、回転本体１１の回転方向に沿って互いに同じ側に曲がった形状を有する。したがって、回転体１による演出効果を更に向上させることができる。すなわち、羽根部が平板状である構成と比較して、流動体１２が羽根部１１２〜１１９からこぼれにくいため、流動体１２を収容空間における鉛直方向上方へ移動させやすい。よって、流動体１２をより高い位置から落下させることができる。したがって、流動体１２の落下に応じて回転するからくりなど、流動体１２の落下を利用したからくりを収容空間に設けることにより、回転体１による演出効果を更に向上させることができる。
【００３０】
（４）本実施形態の構成によれば、特許文献１の構成と比較して、回転体１を転がりやすくできる。すなわち、流動体１２の移動を見て楽しむという鑑賞目的に回転体１を使用する場合、回転体１は転がりやすいことが望ましい。本実施形態では、羽根部１１２〜１１９によって保持されている流動体１２は、当該羽根部１１２〜１１９における回転中心側の端部からこぼれ落ちることにより、他の羽根部１１２〜１１９へ移動する。したがって、特許文献１の構成のような、流動体が回転体の内壁面に接する部分に形成された細透きを通って回転体内を移動する構成と比較して、流動体１２が回転本体１１の回転中心の近くに位置しやすい。つまり、回転体１の重心が、回転本体１１の回転中心に近づきやすい。したがって、回転体１を転がりやすくすることができる。
【００３１】
［２．第２実施形態］
［２−１．構成］
図２に示す回転体２は、回転本体２１と、前述した流動体１２と、を備える。
【００３２】
回転本体２１は、外形が円柱状である。回転本体２１は、アクリルを素材として構成され、透明である。回転本体２１は、円形の側面に直交する中心軸を斜面と平行にして、斜面を転がることが可能である。つまり、回転本体２１の回転軸は、円形の側面に直交する中心軸である。
【００３３】
回転本体２１の内部には、流動体１２を収容する収容空間が形成されている。この収容空間は、３つの部屋２１１〜２１３を有している。３つの部屋２１１〜２１３は、回転体２の回転中心に沿って等間隔に並んでいる。
【００３４】
部屋２１１〜２１３は、回転体２の回転軸に垂直な断面においていずれも菱形状であり、互いに同形状である。部屋２１１〜２１３は、回転体２の回転中心に沿って同様に傾いている。また、回転体２の回転中心には、３つの部屋２１１〜２１３により囲まれた領域として、回転体２の回転軸に垂直な断面における形状が正三角形状の領域が形成されている。つまり、正三角形の各頂点近傍において、各部屋２１１〜２１３における回転体２の回転中心側の２隅が互いに接している。また、当該正三角形状の部分、及び、回転本体２１における３つの部屋２１１〜２１３の外側の部分は、流動体１２が入らない部分である。
【００３５】
３つの部屋２１１〜２１３のそれぞれには、隣接する部屋２１１〜２１３同士を互いに連通する貫通孔２１４〜２１６が設けられている。この貫通孔２１４〜２１６は、各部屋２１１〜２１３の４隅のうち他の部屋２１１〜２１３に接している２隅において形成されている。これにより、３つの部屋２１１〜２１３を循環する循環路としての収納空間が形成されている。
【００３６】
次に、回転体２の回転に伴う流動体１２の移動の様子を、図３を用いて説明する。図３では、回転本体２１の外形の図示を省略している。以下では、説明の便宜上、部屋２１１〜２１３をそれぞれ、第１の部屋２１１、第２の部屋２１２及び第３の部屋２１３という。
【００３７】
（ａ）には、第１の部屋２１１の最下部が第２の部屋２１２及び第３の部屋２１３の最下部よりも鉛直方向下方に位置している状態が示されている。この状態から（ｂ）〜（ｄ）にかけて回転体２は左回りに回転していく。具体的には、（ｂ）〜（ｄ）には、第１の部屋２１１が下から右上へ移動していく様子が示されている。
【００３８】
（ａ）では、第１の部屋２１１内における最下部から中間の高さまでの部分が流動体１２で満たされている。（ａ）の状態から回転体２が左回りに回転し、第１の部屋２１１が少し傾いた（ｂ）の状態になると、貫通孔２１６を通って流動体１２の一部が第２の部屋２１２に移動する。そして、回転体２が更に回転すると、第１の部屋２１１の位置が更に上昇し、第１の部屋２１１が更に傾いた（ｃ）及び（ｄ）の状態になる。その結果、流動体１２が、貫通孔２１６を通って第２の部屋２１２に更に移動する。このように、回転体２が左回りに回転すると、流動体１２が、第１の部屋２１１→第２の部屋２１２→第３の部屋２１３の順で回転本体２１内を移動する。
【００３９】
［２−２．効果］
（１）本実施形態では、収容空間は、回転本体２１の回転方向に沿って並んだ複数の部屋２１１〜２１３を有する。そして、複数の部屋２１１〜２１３のそれぞれには、隣接する部屋２１１〜２１３同士を互いに連通する貫通孔２１４〜２１６が設けられている。そして、流動体１２は、複数の部屋２１１〜２１３を順に移動する。したがって、流動体１２が複数の部屋２１１〜２１３を順に移動するという、鑑賞目的にも使用可能な新規な構成を有する回転体２を提供することができる。
【００４０】
（２）本実施形態の構成によれば、特許文献１の構成と比較して、回転体１を転がりやすくできる。すなわち、本実施形態では、部屋２１１〜２１３によって収容されている流動体１２は、その部屋２１１〜２１３における回転体２の回転中心側の２隅に形成された貫通孔２１４〜２１６を通って、他の部屋２１１〜２１３へ移動する。したがって、特許文献１の構成のような、流動体が回転体の内壁面に接する部分に形成された細透きを通って回転体内を移動する構成と比較して、流動体１２が回転本体２１の回転中心の近くに位置しやすい。つまり、回転体２の重心が、回転本体２１の回転中心に近づきやすい。したがって、回転体１を転がりやすくすることができる。
【００４１】
［３．第３実施形態］
［３−１．構成］
図４に示す回転体３は、回転本体３１と、前述した流動体１２と、を備える。
【００４２】
回転本体３１は、円板３１１と、収容管３１２と、を備える。本実施形態では、回転本体３１は、アクリルを素材として構成され、透明である。
円板３１１は、円柱状の外形を有し、円形の側面に直交する中心軸を斜面と平行にして、斜面を転がることが可能である。つまり、回転本体３１の回転軸は、円板３１１の側面に直交する中心軸である。
【００４３】
収容管３１２は、流動体１２を収容可能な部材である。具体的には、収容管３１２は、管状の部材（以下、管状部材）の両端部を互いに接続して閉じたような形状を有している。このため、収容管３１２の内部には、循環路が形成されている。収容管３１２は、外側の輪郭が略正三角形状に形成される。また、収容管３１２は、当該正三角形の各頂点において環状に巻かれた形状を有している。なお、収容管３１２の形状は、後で詳述する。
【００４４】
収容管３１２は、その正三角形の外形が、円板３１１の側面の外形よりもやや小さくなるように形成されている。収容管３１２は、円板３１１の側面の一方に、当該側面の中心と正三角形の中心とが一致するように、固定されている。また、収容管３１２は、円板３１１に対して移動しないように固定されている。したがって、円板３１１が回転すると、収容管３１２も共に回転する。
【００４５】
以下、収容管３１２の形状を具体的に説明する。収容管３１２は、３つの環状部３１３〜３１５と、３つの連結部３１６〜３１８と、を有する。
環状部３１３〜３１５は、図５に示すように、管状部材が１回環状に巻かれた形状を有する。
【００４６】
連結部３１６〜３１８は、直線状の管状部材である。本実施形態では、環状部３１３〜３１５及び連結部３１６〜３１８を構成する管状部材は、断面形状が円状であるチューブ状の部材である。また、管状部材の断面積は一定である。また、本実施形態では、環状部３１３〜３１５と連結部３１６〜３１８とは別部材である。連結部３１６〜３１８は、環状部３１３〜３１５の端部３１３ａ〜３１５ｂを他の環状部３１３〜３１５の端部３１３ａ〜３１５ｂと連結している。換言すれば、連結部３１６〜３１８は、異なる２つの環状部３１３〜３１５の端部３１３ａ〜３１５ｂ同士を連結している。
【００４７】
具体的には、連結部３１６は、環状部３１３における環状部３１４側の端部３１３ａと環状部３１４における環状部３１３側の端部３１４ａとを連結している。また、連結部３１７は、環状部３１４における環状部３１５側の端部３１４ｂと環状部３１５における環状部３１４側の端部３１５ａとを連結している。また、連結部３１８は、環状部３１５における環状部３１３側の端部３１５ｂと環状部３１３における環状部３１５側の端部３１３ｂとを連結している。つまり、連結部３１６〜３１８は、正三角形の三辺を形成している。このように複数の環状部３１３〜３１５と複数の連結部３１６〜３１８とにより、その内部に流動体１２を収容する収容空間が循環路として形成されている。
【００４８】
次に、回転体３の回転に伴う収容管３１２内の流動体１２の移動の様子を、図６を用いて説明する。なお、図６では、円板３１１の図示を省略している。
（ａ）には、環状部３１４及び環状部３１５が共に同じ高さで、環状部３１３よりも鉛直方向上方に位置している状態が示されている。
【００４９】
この状態から（ｂ）〜（ｈ）にかけて回転体３は左回りに回転していく。具体的には、（ａ）〜（ｈ）には、環状部３１３の位置が、真下から、右下、右上、真上、左上、左下、真下、右下へと移動していく様子が示されている。つまり、（ａ）〜（ｈ）には、回転体３が１回転し、更に４５度回転している様子が示されている。
【００５０】
（ａ）では、環状部３１３における最下部から中間の高さまでの部分のみが流動体１２で満たされている。特に、環状部３１３において２重に重なっている管状部材のうちの図６の紙面手前に位置する管状部材内のみが流動体１２で満たされている。
【００５１】
なお、図６では、紙面手前の管状部材内に位置する、紙面手前から視認可能な流動体１２と、紙面奥の管状部材内に位置する、紙面手前から視認不可能な流動体１２とは、異なるハッチングで示されている。
【００５２】
回転体３の回転に伴い流動体１２は環状部３１３内を左に移動する。そして、回転体３が（ａ）の状態から左回りに２２５度回転した（ｅ）の状態になると、環状部３１３における紙面奥、つまり裏側の管状部材に流動体１２の左半分が移動する。回転体３が更に回転するにつれて、流動体１２は環状部３１３内を更に左に移動する。そして、回転体３が（ａ）の状態から３６０度回転した（ｇ）の状態になると、流動体１２のすべてが環状部３１３における裏側の管状部材に移動する。そして、回転体３が（ｇ）の状態から更に４５度回転した（ｈ）の状態になると、流動体１２の一部が環状部３１３から連結部３１６に流れ出す。そして、図示は省略しているが、回転体３が更に回転すると、流動体１２が、連結部３１６を介して環状部３１４に移動する。
【００５３】
［３−２．効果］
（１）本実施形態では、回転体３は、複数の環状部３１３〜３１５と、複数の連結部３１６〜３１８と、を有する。そして、環状部３１３〜３１５によって保持されている流動体１２は、当該環状部３１３〜３１５の端部から連結部３１６〜３１８を介して他の環状部３１３〜３１５へ移動する。したがって、流動体１２が環状部３１３〜３１５の端部から連結部３１６〜３１８を介して他の環状部３１３〜３１５へ移動するという、鑑賞目的にも使用可能な新規な構成を有する回転体３を提供することができる。
【００５４】
（２）本実施形態の構成によれば、例えば、複数種類の色の流動体を収容管３１２内に入れることにより、回転体３による演出効果を更に向上させることができる。すなわち、例えば、環状部３１３〜３１５に異なる色の流動体を入れて回転体３を回転させても、第１実施形態のような構成と比較して、異なる色の流動体は互いに混じりにくい。したがって、複数種類の色の流動体の移動を見て楽しむことができるため、回転体３による演出効果を更に向上させることができる。
【００５５】
［４．他の実施形態］
以上、本開示を実施するための形態について説明したが、本開示は上述の実施形態に限定されることなく、種々変形して実施することができる。
【００５６】
（１）上記各実施形態では、斜面を転がる外形として円柱状の外形を例示したが、斜面を転がる外形はこれに限られるものではない。斜面を転がる外形は、例えば、断面が真円以外の形状であってもよい。この場合において、例えば、正三角錐などの正多角錐状、より一般には、多角錐状の外形であってもよい。また、斜面を転がる外形は、例えば、瓢箪状の外形であってもよい。
【００５７】
（２）上記各実施形態では、流動体１２は砂であるが、流動体はこれに限られるものではない。流動体は、例えば、水や油などの液体であってもよい。このように、流動体が液体である場合などにおいて、回転体は、収容空間内の圧力を調節可能な装置を備えていてもよい。このような構成によれば、温度による流動体の体積変化がある場合などにおいて、収容空間内の圧力を調節することができる。
【００５８】
また例えば、回転体には、比重が異なる複数種類の流動体が入れられてもよい。複数種類の流動体の組合せとしては、例えば、水、油、砂、及び、水などに浮かび上がりやすい物質の粒、のうちの少なくとも２種類の流動体の組合せが考えられる。
【００５９】
また例えば、回転体には、流動体に加えて、流動体以外の物が入れられてもよい。この場合において、例えば、回転体には、硝子、金属、木、石等で出来た玉やリングや、貝殻などが入れられてもよい。また例えば、流動体以外の物が第１実施形態の回転体１などに入れられる場合において、流動体以外の物は、羽根部によって保持され、羽根部から落下できる程度の大きさであってもよい。
【００６０】
（３）上記各実施形態では、回転本体１１等はアクリルを素材として構成されるが、回転本体の素材はこれに限られるものではない。回転本体は、例えば、硝子を素材として構成されてもよい。
【００６１】
また、上記各実施形態では、回転本体１１等はその全部が透明であるが、回転本体の透明な部分はこれに限られるものではない。例えば、回転本体の一部のみが透明であってもよい。
【００６２】
（４）上記第１実施形態では、羽根部１１２〜１１９は、回転本体１１の回転軸に垂直な断面において半円状であるが、羽根部の曲がり具合はこれに限られるものではない。羽根部は、例えば、回転本体の回転軸に垂直な断面において３／４円状などでもよい。
【００６３】
（５）上記第２実施形態では、連結部３１６〜３１８は、互いに交差しないように配置されているが、連結部の配置はこれに限られるものではない。例えば、図７に示すように、連結部は互いに交差するように配置されてもよい。
【００６４】
（６）上記第２実施形態では、環状部３１３〜３１５は、管状部材が１回巻かれた形状を有するが、環状部の巻数はこれに限られるものではない。環状部は、例えば、管状部材が複数回巻かれた形状を有していてもよい。この場合において例えば、図８に示すように、環状部は、管状部材が２回巻かれた形状を有していてもよい。
【００６５】
このように、管状部材が複数回巻かれることで、管状部材が１回だけ巻かれた構成と比較して、環状部において、より多くの流動体を保持することができる。その結果、回転体の重心が、回転本体の回転中心に近づきやすい。したがって、管状部材が１回だけ巻かれた構成と比較して、回転体を更に転がりやすくすることができる。
【００６６】
例えば、前述した図７には、管状部材が２回巻かれた環状部を３つ有する構成が示されている。この回転体には、複数種類、具体的には、５種類の色の流動体が入れられている。なお、図７では、異なる色の流動体は、異なるハッチングにより区別されている。
【００６７】
上記第２実施形態のように、管状部材が１回巻かれた構成では、回転体が３６０度回転して更に回転すると、環状部によって保持されている流動体が他の環状部に移動する。これに対して、図７に示すように、管状部材が２回巻かれた構成では、回転体が７２０度回転して更に回転すると、環状部によって保持されている流動体が他の環状部に移動する。
【００６８】
（７）羽根部、部屋、環状部及び連結部の数は上記実施形態のものに限られない。例えば、環状部の数は、図９に示すように４つであってもよく、また、図１０に示すように５つであってもよい。
【００６９】
（８）上記第２実施形態では、環状部３１３〜３１５と連結部３１６〜３１８とは別部材であるが、環状部と連結部とは１つの部材であってもよい。
（９）上記第２実施形態では、環状部３１３〜３１５及び連結部３１６〜３１８は、チューブ状の管状部材により構成されるが、環状部及び連結部の構成はこれに限られるものではない。例えば、環状部及び連結部は、図１１に示すような構成でもよい。すなわち、回転体４は、内部に空間を有する板状部材を螺旋状に積み立てた形状を有する環状部４１〜４４を有する。また、回転体は、環状部４１〜４４は、同様の板状部材により連結される。そして、互いに接している板状部材の内部は互いに連通される。これにより、循環路としての収容空間が形成される。
【００７０】
（１０）上記第１実施形態のように羽根部を有する構成において、羽根部の先端を周壁の内壁面側に屈曲させるなどして、流動体の移動を塞き止める壁を形成してもよい。そして、羽根部における屈曲部等に貫通孔を形成して、流動体が当該貫通孔を通って他の羽根部へ移動する構成としてよい。このような構成によれば、流動体が勢いよく回転中心側に移動することを抑制することができる。
【００７１】
（１１）上記第２実施形態では、環状部３１３〜３１５及び連結部３１６〜３１８の断面積は一定であるが、環状部及び連結部の形状はこれに限られるものではない。例えば、連結部には、当該連結部における他の部分よりも径が小さい絞りが形成されていてもよい。このような構成によれば、流動体の移動の速度を小さくするように調節することができる。
【００７２】
（１２）回転体は、例えば、自律的に転がる仕組みを有していてもよい。そのような仕組みとしては、例えば、ゼンマイ仕掛けと柱時計の振り子の原理とを利用した仕組みがあげられる。このような構成によれば、回転体は斜面に載置されなくても転がることができる。
【００７３】
（１３）回転体は、例えば、図１２に示すように、回転本体４５の内部に回動運動を行う振り子４６を有していてもよい。具体的には、振り子４６は、棒４６１の一端に錘４６２を有し、棒４６１の他端が回転本体４５の回転中心を通る軸棒４６３により回動可能に支持されている。
【００７４】
このような構成によれば、回転体の重心の位置を、回転本体４５の回転中心に近づけることができる。よって、回転体を転がりやすくすることができる。なお、図１２に示す構成では、振り子４６の回動運動の支点は回転本体４５の回転中心であるが、回動運動の支点はこれに限られるものではない。例えば、回動運動の支点は、回転中心以外の点であってもよい。
【００７５】
また例えば、回転本体の流動体に対する相対的な重量を重くしたり、回転本体内に水などの液体を入れたりすることによっても回転体の重心の位置を、回転本体の回転中心に近づけることができる。この場合も、回転体を転がりやすくすることができる。
【００７６】
（１４）例えば、回転体は、当該回転体が転がる方向を補正する仕組みを有していてもよい。このような仕組みとして振り子を利用するものが挙げられる。具体的には、図１３及び図１４に示す回転体５，６は、周壁５１，６１及び蓋部等を収容する球体５２，６２を備える。図１３では、周壁５１の外面が球体５２の内面に接している。そして、回転体５は、周壁５１の内側に振り子５３を有する。一方、図１４では、周壁６１の外面が球体６２の内面に接していない。そして、回転体６は、周壁６１の外面と球体６２の内面との間に振り子６３の錘６４が位置するように、振り子６３を有している。このような構成によれば、振り子５３，６３の回動運動により、回転体５，６が転がる方向を補正するができる。
【００７７】
なお、振り子５３，６３は、周壁５１，６１が回転する方向とは逆方向に回動運動を行う。これにより、周壁５１，６１が垂直に立った状態で、回転体５，６が斜面を転がることができる。
【００７８】
（１５）例えば、上記第１実施形態のように回転本体の内部にスペースを有する構成において、当該スペースに演出効果を向上させるためのからくりが設けられてもよい。具体的には、例えば、図１５及び図１６に示すからくりが設けられてもよい。すなわち、図１５及び図１６の構成では、回転本体内のスペースに、回転体が回転しても共に回転しづらい基盤７１が設けられる。具体的には、基盤７１は、回転体の回転中心を支点７２とする回転運動が可能に設けられている。そして、基盤７１における鉛直方向下部に錘７３が設けられている。
【００７９】
図１２に示す構成では、基盤７１の面に、玉などが転がることが可能なスロープ７４が設けられている。一方、図１３に示す構成では、基盤７１の面に、金属製、木製、硝子製などの管や片、鈴、弦などの、落下した玉などが当たると音がなる物体７５が設けられている。つまり、図１３の構成では、回転体は、当該回転体の回転に伴い、音が鳴る仕組みを有している。
【００８０】
（１６）上記各実施形態では、２つの蓋部は周壁１１１に接着されるが、蓋部を周壁に固定する構造はこれに限られるものではない。例えば、蓋部は周壁にネジ止めされてもよい。また例えば、流動体が液体である場合などにおいて、パッキンを施すなどして、蓋部と周壁との間の隙間から流動体が漏れ出さないようにしてもよい。また例えば、蓋部をネジ蓋とし、瓶詰めのようなスクリューを蓋部及び周壁に設けることにより、蓋部が周壁に固定されてもよい。また例えば、蓋部は、周壁に対して開閉動作を行うように固定されてもよい。
【００８１】
（１７）上記各実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記各実施形態の構成の一部を省略してもよい。また、上記各実施形態の構成の少なくとも一部を、他の上記各実施形態の構成に対して付加又は置換してもよい。なお、特許請求の範囲に記載した文言のみによって特定される技術思想に含まれるあらゆる態様が本開示の実施形態である。
【符号の説明】
【００８２】
１〜６…回転体、１１，２１，３１，４５…回転本体、１２…流動体、４６，５３，６３…振り子、１１２〜１１９…羽根部、２１１〜２１３…部屋、２１４〜２１６…貫通孔、３１３〜３１５、４１〜４４…環状部、３１６〜３１８…連結部。
【図１】
2018068366.tif 000003
【図２】
2018068366.tif 000004
【図３】
2018068366.tif 000005
【図４】
2018068366.tif 000006
【図５】
2018068366.tif 000007
【図６】
2018068366.tif 000008
【図７】
2018068366.tif 000009
【図８】
2018068366.tif 000010
【図９】
2018068366.tif 000011
【図１０】
2018068366.tif 000012
【図１１】
2018068366.tif 000013
【図１２】
2018068366.tif 000014
【図１３】
2018068366.tif 000015
【図１４】
2018068366.tif 000016
【図１５】
2018068366.tif 000017
【図１６】
2018068366.tif 000018